(57)【特許請求の範囲】
【請求項１】
通信システムにおけるノードＢがハイブリッド自動再送要求確認応答情報（automatic repeat request-acknowledgement ：ＨＡＲＱ−ＡＣＫ）ビットを受信する方法であって、
ユーザ機器（user equipment：ＵＥ）に対して複数のセルを構成するステップと、
前記ＵＥから物理アップリンク共有チャネル（physical uplink shared channel：ＰＵＳＣＨ）で前記複数のセルに対するエンコーディングされた連接ＨＡＲＱ−ＡＣＫビットを受信するステップと、
前記エンコーディングされた連接ＨＡＲＱ−ＡＣＫビットをデコーディングするステップと、を含み、
前記複数のセルの各々は一つの送信モード に関連し、
前記複数のセルに対するＨＡＲＱ−ＡＣＫビットは、前記複数のセルの各々に対するセルインデックスの順序に基づいて連接され、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする方法。
【請求項２】
前記エンコーディングされた連接ＨＡＲＱ−ＡＣＫビットは、前記連接されたＨＡＲＱ−ＡＣＫビットの個数が３以上である場合、（３２，Ｏ）ブロックコードに基づいてデコーディングされることを特徴とする請求項１に記載の方法。
【請求項３】
相異なるタイプのアップリンク制御情報（uplink control information：ＵＣＩ）が存在する場合、基本セルのＰＵＳＣＨで第１のタイプのＵＣＩを受信し、前記基本セルの物理アップリンク制御チャネル（physical uplink control channel：ＰＵＣＣＨ）で第２のタイプのＵＣＩを受信するステップをさらに含むことを特徴とする請求項１に記載の方法。
【請求項４】
ＰＵＳＣＨ送信が基本セルに存在する場合、前記ＰＵＳＣＨは前記基本セルと関連することを特徴とする請求項１に記載の方法。
【請求項５】
前記ＰＵＳＣＨ送信が基本セルに存在しない場合、前記ＰＵＳＣＨは最も小さなセルインデックスを有するセルと関連することを特徴とする請求項４に記載の方法。
【請求項６】
通信システムにおけるハイブリッド自動再送要求確認応答情報（automatic repeat request-acknowledgement：ＨＡＲＱ−ＡＣＫ）ビットを受信する装置であって、
ユーザ機器（user equipment：ＵＥ）に対して複数のセルを構成するように構成される制御器と、
前記ＵＥから物理アップリンク共有チャネル（physical uplink shared channel：ＰＵＳＣＨ）で前記複数のセルに対するエンコーディングされた連接ＨＡＲＱ−ＡＣＫビットを受信するように構成される送受信器と、
前記エンコーディングされた連接ＨＡＲＱ−ＡＣＫビットをデコーディングするように構成されるデコーダと、を含み、
前記複数のセルの各々は一つの送信モードに関連し、
前記複数のセルに対するＨＡＲＱ−ＡＣＫビットは、前記複数のセルの各々に対するセルインデックスの順序に基づいて連接され、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする装置。
【請求項７】
前記エンコーディングされた連接ＨＡＲＱ−ＡＣＫビットは、前記連接されたＨＡＲＱ−ＡＣＫビットの個数が３以上である場合、（３２，Ｏ）ブロックコードに基づいてデコーディングされることを特徴とする請求項６に記載の装置。
【請求項８】
相異なるタイプのアップリンク制御情報（uplink control information：ＵＣＩ）が存在する場合、前記送受信器は基本セルのＰＵＳＣＨで第１のタイプのＵＣＩを受信し、前記基本セルの物理アップリンク制御チャネル（physical uplink control channel ：ＰＵＣＣＨ）で第２のタイプのＵＣＩを受信するようにさらに構成されることを特徴とする請求項６に記載の装置。
【請求項９】
ＰＵＳＣＨ送信が基本セルに存在する場合、前記ＰＵＳＣＨは前記基本セルと関連することを特徴とする請求項６に記載の装置。
【請求項１０】
前記ＰＵＳＣＨ送信が基本セルに存在しない場合、前記ＰＵＳＣＨは最も小さなセルインデックスを有するセルと関連することを特徴とする請求項９に記載の装置。
【請求項１１】
通信システムにおけるユーザ機器（user equipment：ＵＥ）がハイブリッド自動再送要求確認応答情報（automatic repeat request-acknowledgement：ＨＡＲＱ−ＡＣＫ）ビットを送信する方法であって、
複数のセルの構成を受信するステップと、
前記複数のセルの各々に対するセルインデックスに基づいて前記複数のセルに対するＨＡＲＱ−ＡＣＫビットを連接するステップと、
前記連接されたＨＡＲＱ−ＡＣＫビットをエンコーディングするステップと、
前記エンコーディングされた連接されたＨＡＲＱ−ＡＣＫビットを物理アップリンク共有チャネル（physical uplink shared channel：ＰＵＳＣＨ）でノードＢに送信するステップと、を含み、
前記複数のセルの各々は一つの送信モードに関連し、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする方法。
【請求項１２】
前記連接されたＨＡＲＱ−ＡＣＫビットは、前記連接されたＨＡＲＱ−ＡＣＫビットの個数が３以上である場合、（３２，Ｏ）ブロックコードに基づいてエンコーディングされることを特徴とする請求項１１に記載の方法。
【請求項１３】
相異なるタイプのアップリンク制御情報（uplink control information：ＵＣＩ）が存在する場合、基本セルのＰＵＳＣＨで第１のタイプのＵＣＩを送信し、前記基本セルの物理アップリンク制御チャネル（physical uplink control channel：ＰＵＣＣＨ）で第２のタイプのＵＣＩを送信するステップをさらに含むことを特徴とする請求項１１に記載の方法。
【請求項１４】
ＰＵＳＣＨ送信が基本セルに存在する場合、前記ＰＵＳＣＨは前記基本セルと関連することを特徴とする請求項１１に記載の方法。
【請求項１５】
前記ＰＵＳＣＨ送信が基本セルに存在しない場合、前記ＰＵＳＣＨは最も小さなセルインデックスを有するセルと関連することを特徴とする請求項１４に記載の方法。
【請求項１６】
通信システムにおけるハイブリッド自動再送要求確認応答情報（automatic repeat request-acknowledgement ：ＨＡＲＱ−ＡＣＫ）ビットを送信する装置であって、
複数のセルの各々のセルインデックスの順序に基づいて、前記複数のセルに対するＨＡＲＱ−ＡＣＫビットを連接するように構成される制御器と、
前記連接されたＨＡＲＱ−ＡＣＫビットをエンコーディングするように構成されるエンコーダと、
物理アップリンク共有チャネル（physical uplink shared channel：ＰＵＳＣＨ）で前記エンコーディングされた連接されたＨＡＲＱ−ＡＣＫビットをノードＢに送信するように構成される送信器と、を含み、
前記複数のセルは前記ノードＢによって構成され、前記複数のセルの各々は一つの送信モードと関連し、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする装置。
【請求項１７】
前記連接されたＨＡＲＱ−ＡＣＫビットの個数が３以上である場合、前記エンコーダは前記連接されたＨＡＲＱ−ＡＣＫビットを（３２，Ｏ）ブロックコードに基づいて、エンコーディングするように構成されることを特徴とする請求項１６に記載の装置。
【請求項１８】
相異なるタイプのアップリンク制御情報（uplink control information：ＵＣＩ）が存在する場合、前記送信器は基本セルのＰＵＳＣＨで第１のタイプのＵＣＩを送信し、前記基本セルの物理アップリンク制御チャネル（physical uplink control channel：ＰＵＣＣＨ）で第２のタイプのＵＣＩを送信するようにさらに構成されることを特徴とする請求項１６に記載の装置。
【請求項１９】
ＰＵＳＣＨ送信が基本セルに存在する場合、前記ＰＵＳＣＨは前記基本セルと関連することを特徴とする請求項１６に記載の装置。
【請求項２０】
前記ＰＵＳＣＨ送信が基本セルに存在しない場合、前記ＰＵＳＣＨは最も小さなセルインデックスを有するセルと関連することを特徴とする請求項１９に記載の装置。
【発明の詳細な説明】
【技術分野】
【０００１】
本発明は、無線通信システムに関し、特に、通信システムのアップリンクでの制御情報信号の送信に関する。
【背景技術】
【０００２】
通信システムは、基地局（ＢＳ又はノードＢ）から送信信号をユーザ機器（User Equipment：ＵＥ）に伝達するダウンリンク（ＤＬ）及びＵＥから送信信号をノードＢに伝達するアップリンク（ＵＬ）を含む。通常、端末機又は移動局と呼ばれるＵＥは、固定されてもよく、又は移動してもよく、無線装置、携帯電話、個人用コンピュータ装置などであってもよい。ノードＢは、一般的に固定されたステーションであり、基地局送受信システム（Base Transceiver System：ＢＴＳ）、アクセスポイント、又はその他の同等の用語とも呼ばれる。
【０００３】
特に、ＵＬは、情報コンテンツを運搬するデータ信号、ＤＬでのデータ信号の送信と関連した情報を提供する制御信号、及びパイロット信号とも呼ばれている基準信号（ＲＳ）の送信をサポートする。また、ＤＬデータ信号、制御信号、及びＲＳの送信をサポートする。
【０００４】
ＵＬデータ信号は、物理アップリンク共有チャネル（Physical Uplink Shared CHannel：ＰＵＳＣＨ）を通して伝達され、ＤＬデータ信号は、物理ダウンリンク共有チャネル（Physical Downlink Shared CHannel：ＰＤＳＣＨ）を通して伝達される。
【０００５】
ＰＵＳＣＨ送信がない場合に、ＵＥは、物理アップリンク制御チャネル（Physical Uplink Control CHannel：ＰＵＣＣＨ）を通してアップリンク制御情報（ＵＣＩ）を伝達する。しかしながら、ＰＵＳＣＨ送信がある場合には、ＵＥは、ＰＵＳＣＨを通してデータ情報とともにＵＣＩを伝達することができる。
【０００６】
ＤＬ制御信号は、ブロードキャストされるか又はＵＥ特定方式（UE-specific nature）で送信されることができる。したがって、ＵＥ特定制御チャネルは、他の目的の中でもＰＤＳＣＨ受信のためのスケジューリング割り当て（ＤＬ ＳＡ）又はＰＵＳＣＨ送信のためのスケジューリング割り当て（ＵＬ ＳＡ）をＵＥに提供するために使用されることができる。ＳＡは、それぞれのダウンリンク制御情報（ＤＣＩ）フォーマットを用いてそれぞれの物理ダウンリンク制御チャネル（ＰＤＣＣＨ）を通してノードＢからそれぞれのＵＥに送信される。
【０００７】
ＵＣＩは、ハイブリッド自動再送要求（Hybrid Automatic Repeat reQuest：ＨＡＲＱ）過程の使用と関連した確認応答（ACKnowledgement：ＡＣＫ）情報（ＨＡＲＱ−ＡＣＫ）を含む。ＨＡＲＱ−ＡＣＫ情報は、ＰＤＳＣＨにより運搬される送信ブロック（ＴＢ）のＵＥによる受信に応答して送信される。
【０００８】
また、ＵＣＩは、共同でチャネル状態情報（Channel State Information：ＣＳＩ）とも呼ばれるチャネル品質指示子（Channel Quality Indicator：ＣＱＩ）、プリコーディングマトリックス指示子（Precoding Matrix Indicator：ＰＭＩ）、又はランク指示子（Rank Indicator：ＲＩ）を含むことができる。ＣＱＩは、ＵＥがサブバンドにわたって又は全体動作のＤＬ帯域幅（BandWidth：ＢＷ）にわたって経験する信号対干渉及び雑音比（Signal to Interference and Noise Ratio：ＳＩＮＲ）の測定値を提供する。このような測定値は、通常、ＴＢの送信のために所定のブロックエラー率（Block Error Rate：ＢＬＥＲ）が達成されることができる最高（highest）変調及びコーディング方式（Modulation and Coding Scheme：ＭＣＳ）の形態を帯びる。ＭＣＳは、変調次数（変調シンボル当たりのデータビットの数）及びデータ情報の送信に適用されるコーディング率の積（product）を示す。ＰＭＩ／ＲＩは、多入力多出力（ＭＩＭＯ）原理を用いて複数のノードＢアンテナからＵＥへの信号送信を結合する方法をノードＢに通知する。
【０００９】
図１は、従来のＰＵＳＣＨ送信構造を示す図である。
【００１０】
図１を参照すると、簡素化のために、送信時間間隔（ＴＴＩ）は、２個のスロットを含む１つのサブフレーム１１０である。各スロット１２０は、データ信号、ＵＣＩ信号、又はＲＳの送信のために使用される
【００１１】
【数１】
0005989833.tif 000002
【００１２】
シンボルを含む。各シンボル１３０は、チャネル伝搬効果による干渉を緩和するためにサイクリックプレフィックス（ＣＰ）を含む。１つのスロット１２０のＰＵＳＣＨ送信は、他のスロットのＰＵＳＣＨ送信と同一であるか又は異なるＢＷにあり得る。
【００１３】
各スロットの一部のシンボルは、ＲＳ１４０を送信するために使用され、これは、受信されたデータ及び／又はＵＣＩ信号のチャネル推定及び同期復調を可能にする。
【００１４】
ここで、送信ＢＷは、物理リソースブロック（Physical Resource Block：ＰＲＢ）と呼ばれる周波数リソースユニットを含む。各ＰＲＢは、
【００１５】
【数２】
0005989833.tif 000003
【００１６】
個のサブキャリア又はリソースエレメント（Resource Element：ＲＥ）を含み、ＵＥは、ＰＵＳＣＨ送信ＢＷに対して総
【００１７】
【数３】
0005989833.tif 000004
【００１８】
個のＲＥのためのＭＰＵＳＣＨ個のＰＲＢ１５０の割り当てを受ける。
【００１９】
最後のサブフレームシンボルは、１つ又はそれ以上のＵＥからサウンディングＲＳ（Sounding RS：ＳＲＳ）１６０を送信するために使用される。ＳＲＳは、各ＵＥのためのＵＬチャネル媒体に対するＣＱＩ推定値をノードＢに提供する。ＳＲＳ送信パラメータは、例えば、無線リソース制御（Radio Resource Control：ＲＲＣ）シグナリングのような上位階層シグナリングを通してノードＢにより各ＵＥに半静的（semi-statically）に構成される。
【００２０】
図１において、データ送信に使用可能なサブフレームシンボルの数は
【００２１】
【数４】
0005989833.tif 000005
【００２２】
であり、ＳＲＳ送信に対して最後のサブフレームシンボルが使用される場合にはＮＳＲＳ＝１であり、そうでなければＮＳＲＳ＝０である。
【００２３】
図２は、ＰＵＳＣＨを通してデータ、ＣＳＩ、及びＨＡＲＱ−ＡＣＫ信号を送信するための従来の送信器を示す図である。
【００２４】
図２を参照すると、コーディングされたＣＳＩビット２０５及びコーディングされたデータビット２１０は、マルチプレクサー２２０により多重化される。その後に、ＨＡＲＱ−ＡＣＫビットは、パンクチャーリング部２３０によりデータビット及び／又はＣＳＩビットをパンクチャーリングすることにより挿入される。離散フーリエ変換（Discrete Fourier Transform：ＤＦＴ）は、ＤＦＴ部２４０により実行される。ＲＥは、制御器２５５からのＰＵＳＣＨ送信ＢＷに対応するサブキャリアマッピング部２５０によるサブキャリアマッピングにより選択される。逆高速フーリエ変換（Inverse Fast Fourier Transform：ＩＦＦＴ）はＩＦＦＴ部２６０により実行され、ＣＰ挿入はＣＰ挿入部２７０により実行され、タイムウィンドーイングは、フィルター２８０により実行されることにより送信された信号２９０が発生する。
【００２５】
ＰＵＳＣＨ送信は、１つのクラスター２９５Ａにわたった信号送信のためのＤＦＴ拡散直交周波数分割多元接続（DFT Spread Orthogonal Frequency Division Multiple Access：ＤＦＴ−Ｓ−ＯＦＤＭＡ）方法（単一キャリア周波数分割多元接続（Single-Carrier Frequency Division Multiple Access：ＳＣ−ＦＤＭＡ）とも知られる）に従って連続されたＲＥのクラスター又は複数の非連続クラスター２９５Ｂ）にわたっていると仮定する。
【００２６】
図３は、図２に示すような送信信号を受信するための従来の受信器を示す図である。
【００２７】
図３を参照すると、アンテナは、無線周波数（ＲＦ）アナログ信号を受信し、（簡素化のために図示しないフィルター、増幅器、周波数ダウンコンバータ、及びアナログ−ディジタルコンバータのような）追加処理部を経た後に、受信されたディジタル信号３１０はフィルター３２０によりフィルタリングされ、ＣＰはＣＰ除去部３３０により除去される。その後に、受信部は、高速フーリエ変換（Fast Fourier Transform：ＦＦＴ）部３４０によりＦＦＴを適用し、制御器３５５の制御の下にサブキャリアデマッピング部３５０によるサブキャリアデマッピング部を通して送信器により使用されるＲＥを選択する。この後に、逆ＤＦＴ（ＩＤＦＴ）部３６０がＩＤＦＴを適用し、抽出部３７０がＨＡＲＱ−ＡＣＫビットを抽出し、逆多重化部３８０がデータビット３９０及びＣＳＩビット３９５を逆多重化する。
【００２８】
ＲＳ送信は、一定振幅ゼロ自己相関（Constant Amplitude Zero Auto-Correlation：ＣＡＺＡＣ）シーケンスを通しているものと仮定する。ＣＡＺＡＣシーケンスの例は、数式（１）に示されている。
【００２９】
【数５】
0005989833.tif 000006
【００３０】
数式（１）において、ＬはＣＡＺＡＣシーケンスの長さであり、ｎはシーケンスｎ＝{０，１，．．．，Ｌ−１}の要素のインデックスであり、ｋはシーケンスのインデックスである。Ｌが素数である場合に、｛０，１，．．．，Ｌ−１}でｋ個の範囲で定義されたＬ−１の別個の（distinct）シーケンスが存在する。
【００３１】
偶数個のＲＥの場合に、ＣＡＺＡＣシーケンスの切り捨て（truncating）又は拡張を行うことにより偶数（even）長さを有するＣＡＺＡＣ基盤シーケンスが発生することができる。
【００３２】
ＣＡＺＡＣシーケンスの直交多重化は、同一のＣＡＺＡＣシーケンスに異なるサイクリックシフト（Cyclic Shift：ＣＳ）を適用することにより達成することができる。
【００３３】
ＰＵＳＣＨでのＨＡＲＱ−ＡＣＫ又はＲＩ送信の場合に、ＵＥは、数式（２）に示すようにコーディングされたシンボルのそれぞれの数
【００３４】
【数６】
0005989833.tif 000007
【００３５】
を決定する。
【００３６】
【数７】
0005989833.tif 000008
【００３７】
数式（２）において、ＯはＨＡＲＱ−ＡＣＫ情報ビット又はＲＩ情報ビットの数であり、
【００３８】
【数８】
0005989833.tif 000009
【００３９】
はＲＲＣシグナリングを通してＵＥに通知され、Ｑｍは変調シンボル当たりのデータビットの数であり（ＱＰＳＫ、ＱＡＭ１６、ＱＡＭ６４の各々に対するＱｍ＝２，４，６）、Ｒは同一のＴＢに対する初期ＰＵＳＣＨ送信のデータコーディング率であり、
【００４０】
【数９】
0005989833.tif 000010
【００４１】
は現在のサブフレームでのＰＵＳＣＨ送信ＢＷであり、
【００４２】
【数１０】
0005989833.tif 000011
【００４３】
は、ある数を次の整数にラウンディングする切り上げ演算（ceiling operation）を示す。
データコーディング率Ｒは、数式（３）に示すように定義される。
【００４４】
【数１１】
0005989833.tif 000012
【００４５】
数式（３）において、Ｃはデータコードブロックの総個数であり、Ｋはデータコードブロック番号ｒに対するビットの個数である。ＨＡＲＱ−ＡＣＫ又はＲＩ ＲＥの最大個数は４個のＤＦＴ−Ｓ−ＯＦＤＭシンボルのＲＥ
【００４６】
【数１２】
0005989833.tif 000013
【００４７】
に限定される。
【００４８】
ＵＥが１つのＴＢを受信する時に、ＴＢが正しく受信される場合には、ＨＡＲＱ−ＡＣＫは、２進数‘１’（肯定確認応答又はＡＣＫ）として符号化され、又はＴＢが不正確に受信される場合には、ＨＡＲＱ−ＡＣＫは、２進数‘０’（否定確認応答又はＮＡＣＫ）として符号化される１ビットを含む。
【００４９】
ＵＥが２個のＴＢを受信する場合に、ＴＢ０に対する
【００５０】
【数１３】
0005989833.tif 000014
【００５１】
及びＴＢ１に対する
【００５２】
【数１４】
0005989833.tif 000015
【００５３】
を含む２ビット
【００５４】
【数１５】
0005989833.tif 000016
【００５５】
を含む。２ビットのＨＡＲＱ−ＡＣＫ送信のための（３，２）単純コードを提供するために、ＨＡＲＱ−ＡＣＫビットに対する符号化は、下記の表１に提示され、ここで、
【００５６】
【数１６】
0005989833.tif 000017
【００５７】
である。
【００５８】
【表１】
0005989833.tif 000018
【００５９】
ＰＵＳＣＨでのＣＱＩ／ＰＭＩ多重化の場合、ＵＥは、数式（４）に示すようにコーディングされたシンボルの各数
【００６０】
【数１７】
0005989833.tif 000019
【００６１】
を決定する。
【００６２】
【数１８】
0005989833.tif 000020
【００６３】
数式（４）において、ＯはＣＱＩ／ＰＭＩ情報ビットの数であり、Ｌは
【００６４】
【数１９】
0005989833.tif 000021
【００６５】
で与えられるＣＲＣビットの数であり、
【数２０】
0005989833.tif 000022
【００６６】
である。ＲＩが送信されない場合に、ＱＲＩ＝０である。
【００６７】
ＣＱＩ／ＰＭＩチャネルコーディングの場合に、Ｏ＞１１ビットであると、畳み込み（convolutional）コーディングが使用され、Ｏ≦１１ビットであると、（３２，Ｏ）リードミュラー（Reed-Mueller：ＲＭ）ブロックコーディングが使用される。（３２，Ｏ）ブロックコードのコードワードは、Ｍｉ，ｎで示される１１個の基本（basis）シーケンスの線形組み合せであり、下記の表２に与えられる。入力シーケンスを
【００６８】
【数２１】
0005989833.tif 000023
【００６９】
で示し、符号化されたＣＱＩ／ＰＭＩブロックを
【００７０】
【数２２】
0005989833.tif 000024
【００７１】
で示し、Ｂ＝３２である場合に、
【００７２】
【数２３】
0005989833.tif 000025
【００７３】
であり、ｉ＝０，１，２，．．．，Ｂ−１である。
【００７４】
出力シーケンス
【００７５】
【数２４】
0005989833.tif 000026
【００７６】
は、符号化されたＣＱＩ／ＰＭＩブロックの循環（circular）反復により
【００７７】
【数２５】
0005989833.tif 000027
【００７８】
として得られ、ｉ＝０，１，２，．．．，ＱＣＱＩ−１である。
【００７９】
【表２】
0005989833.tif 000028
【００８０】
ＵＣＩのうちでＨＡＲＱ−ＡＣＫは最も高い信頼性要件を有し、各ＲＥは、自身の復調のために最も正確なチャネル推定値を得るように各スロットでＲＳの隣りに位置する。ＣＱＩ／ＰＭＩ送信がない場合に、ＲＩはＨＡＲＱ−ＡＣＫ後のシンボルに位置し、他方、ＣＱＩ／ＰＭＩ送信は、サブフレームにわたって均一に多重化される。
【００８１】
図４は、ＰＵＳＣＨサブフレームでの従来のＵＣＩ多重化を示す図である。
【００８２】
図４を参照すると、ＨＡＲＱ−ＡＣＫビット４１０は、ＰＵＳＣＨサブフレームの各スロットでＲＳ４２０の隣に配置される。ＣＱＩ／ＰＭＩビット４３０は、すべてのＤＦＴ−Ｓ−ＯＦＤＭシンボルにわたって多重化され、サブフレームの残りは、データビット４４０の送信を運搬する。多重化がＤＦＴの前に実行されるので、仮想周波数次元（dimension）は、ＵＣＩ配置のために使用される。
【００８３】
１つ以上のアンテナを有するＵＥ送信器の場合に、送信ダイバーシティ（ＴｘＤ）は、空間ダイバーシティを提供することにより受信された信号の信頼性を向上させることができる。
【００８４】
例示的なＴｘＤ方法として、時空間ブロック符号化（Space Time Block Coding：ＳＴＢＣ）を挙げることができる。ＳＴＢＣの場合に、第１のアンテナがシンボルｄ０，ｄ１を送信すると、第２のアンテナがシンボル
【００８５】
【数２６】
0005989833.tif 000029
【００８６】
を送信し、ここで、ｄ＊はｄの複素共役（complex conjugate）である。基準ノードＢアンテナで受信され、ｊ番目のＵＥアンテナから送信された信号に対するチャネル推定値をｈｊで示し（ｊ＝１，２）、ｋ番目のＤＦＴ−Ｓ−ＯＦＤＭシンボルでノードＢアンテナで受信された信号をｙｋで示すと（ｋ＝１，２）、ＳＴＢＣシンボルの１対
【００８７】
【数２７】
0005989833.tif 000030
【００８８】
は、
【００８９】
【数２８】
0005989833.tif 000031
【００９０】
に従い、ここで、
【数２９】
0005989833.tif 000032
はベクトルの転置行列を示し、
【００９１】
【数３０】
0005989833.tif 000033
【００９２】
である。
【００９３】
サポート可能なデータ率を増加させるために、ＤＬ及びＵＬのすべてでさらに高い動作ＢＷを提供するように複数の構成要素キャリア（ＣＣ）のアグリゲーション（aggregation）が考慮される。例えば、６０ＭＨｚ以上の通信をサポートするために３個の２０ＭＨｚ ＣＣのアグリゲーションが使用されることができる。
【００９４】
図５は、従来のキャリアアグリゲーション（Carrier Aggregation：ＣＡ）の概念を示す図である。
【００９５】
図５を参照すると、６０ＭＨｚの動作ＤＬ ＢＷ５１０は、それぞれが２０ＭＨｚのＢＷを有する３個の（簡素化のために連続された）ＤＬ ＣＣ５２１、５２２、５２３のアグリゲーションにより構成される。同様に、６０ＭＨｚの動作ＵＬ ＢＷ５３０は、それぞれが２０ＭＨｚのＢＷを有する３個のＵＬ ＣＣ５４１、５４２、５４３のアグリゲーションにより構成される。簡素化のために、図５に示す例において、ＤＬ ＣＣ５２１、５２２、５２３のそれぞれは、ＵＬ ＣＣ（対称ＣＡ）に固有にマッピングされると仮定するが、１つ以上のＤＬ ＣＣが単一ＵＬ ＣＣにマッピングされてもよく、又は１つ以上のＵＬ ＣＣが単一のＤＬ ＣＣ（非対称ＣＡ、簡素化のために図示せず）にマッピングされてもよい。ＤＬ ＣＣとＵＬ ＣＣとの間のリンクは、通常、ＵＥ特定的である。
【００９６】
ノードＢは、ＲＲＣシグナリングを用いてＵＥにＣＣを構成する。複数のＤＬ ＣＣ５２１、５２２、５２３のそれぞれで異なるＴＢの送信を仮定する場合に、複数のＨＡＲＱ−ＡＣＫビットはＵＬで送信されるであろう。
【００９７】
同時のＨＡＲＱ−ＡＣＫ及びＰＵＳＣＨ送信のために、従来の動作の直接的な拡張は、ＤＬ ＣＣで受信されたＴＢに対するＨＡＲＱ−ＡＣＫビットを自身のリンクされたＵＬ ＣＣのＰＵＳＣＨに含ませるものである。しかしながら、実際には、すべてのＵＬ ＣＣが同一のサブフレームでＰＵＳＣＨ送信を有することはできない。したがって、複数のＤＬ ＣＣでＴＢの受信に対応するＨＡＲＱ−ＡＣＫビットのＰＵＳＣＨでの送信をサポートするいずれの設計も単一ＰＵＳＣＨの場合を考慮しなければならない。また、これは、（ＨＡＲＱ−ＡＣＫだけでなく）すべてのＵＣＩタイプに対して適用される。ＰＵＣＣＨ送信は、ＵＬプライマリーＣＣと呼ばれる単一ＵＬ ＣＣにあるものと仮定する。
【００９８】
ＴｘＤは、（ＵＥが複数の送信器アンテナを有する場合に）ＰＵＳＣＨでのＵＣＩ送信、特に、大きいＨＡＲＱ−ＡＣＫペイロード（例えば、ＤＬ ＣＣ当たりの２個のＴＢを有する５個のＤＬ ＣＣでＴＢの受信に対応する１０個のＨＡＲＱ−ＡＣＫビット）に対して要求されるＰＵＳＣＨリソースを実質に増加させず達成することが困難な場合がある高い信頼性を要求するＨＡＲＱ−ＡＣＫに対してサポートされなければならない。
【００９９】
したがって、通信システムのＤＬにおいて、ＣＡで構成されるＵＥからの少なくとも１つのＴＢの受信に応答してＰＵＳＣＨでのＨＡＲＱ−ＡＣＫ情報の送信をサポートする必要がある。
【０１００】
また、ＨＡＲＱ−ＡＣＫ受信信頼性を向上させるためにＨＡＲＱ−ＡＣＫコーディング方法に従ってＨＡＲＱ−ＡＣＫ多重化のために使用されるＰＵＳＣＨリソースをディメンション（dimension）する必要がある。
【０１０１】
さらに、複数の同時のＰＵＳＣＨ送信のためにＵＣＩの送信のためのＰＵＳＣＨを選択する必要がある。
【０１０２】
さらにまた、ＰＵＳＣＨでのＨＡＲＱ−ＡＣＫ送信のためのＴｘＤをサポートする必要がある。
【先行技術文献】
【特許文献】
【０１０３】
【特許文献１】米国特許出願公開第２００９−０２４１００４号明細書
【特許文献２】国際公開第２００９−１４２４３６号パンフレット
【特許文献３】米国特許出願公開第２００９−０１２９４６１号明細書
【発明の概要】
【発明が解決しようとする課題】
【０１０４】
本発明の特定の実施形態の目的は、従来の技術と関連した問題点及び／又は短所の中の少なくとも１つを少なくとも部分的に解決、緩和、又は予防を行うことを提供することにある。
【０１０５】
したがって、本発明は、従来技術の少なくとも上述した限界点及び問題点を解決しようとし、ＵＥが通信システムのＤＬで複数のＣＣを有するノードＢから構成される場合に、ＴＢの受信に応答してＨＡＲＱ過程と関連したＡＣＫ信号、すなわちＨＡＲＱ−ＡＣＫ信号を送信するための方法及び装置を提供し、ＰＵＳＣＨで符号化されたＨＡＲＱ−ＡＣＫ情報の受信信頼性を向上させることによりＵＣＩ多重化のための複数のＰＵＳＣＨのうちで１つのＰＵＳＣＨを選択し、ＰＵＳＣＨでＨＡＲＱ−ＡＣＫ送信ダイバーシティを適用することである。
【課題を解決するための手段】
【０１０６】
上記のような目的を達成するために、本発明の一態様によれば、ユーザ機器（ＵＥ）がＮ個の割り当てられたキャリアのうちの少なくとも１つの割り当てられたキャリアで少なくとも１つの送信ブロック（ＴＢ）の受信に応答して確認応答情報を基地局に送信するための方法であって、各割り当てられたキャリアに対して、ユーザ機器は、基地局により上記各割り当てられたキャリアで送信される時にユーザ機器が物理ダウンリンク共有チャネル（ＰＤＳＣＨ）を通して受信することができる送信ブロックの最大数を決定する各送信モード（ＴＭ）が基地局により割り当てられ、上記確認応答情報は、物理アップリンク共有チャネル（ＰＵＳＣＨ）でデータ情報とともに送信され、上記方法は、上記ユーザ機器がＮ＋Ｍ個の確認応答ビットを発生するステップと、上記ユーザ機器が割り当てられたキャリアの順序に従って上記Ｎ＋Ｍ個の確認応答ビットをコードワードで順序を決定するステップと、上記コードワードをエンコーディングし送信するステップとを有し、Ｍは、上記割り当てられたキャリアの数であり、上記ユーザ機器は、最大２個の送信ブロックに対する受信を可能にする送信モードの割り当てを受け、Ｎ−Ｍは、割り当てられたキャリアの数であり、上記ユーザ機器は、１個の送信ブロックの受信を可能にする送信モードの割り当てを受ける。
【０１０７】
本発明の他の態様によれば、通信システムにおいて制御情報の受信信頼性を向上させる方法であって、ユーザ機器（ＵＥ）は、コードを用いて上記制御情報をエンコーディングし、上記制御情報は、物理アップリンク共有チャネル（ＰＵＳＣＨ）でデータ情報とともに送信され、上記制御情報に対する名目上のコーディング率は、上記データ情報の変調及びコーディング率から決定され、上記方法は、上記制御情報に対する名目上のコーディング率が最大コーディング率より大きいか否かを判定するステップと、上記制御情報に対する名目上のコーディング率が上記最大コーディング率より大きくない場合に上記制御情報に対するコーディング率を上記名目上のコーディング率に設定するステップと、上記制御情報に対する名目上のコーディング率が上記最大コーディング率より大きい場合に上記コーディング率を最大コーディング率に設定するステップと、上記設定されたコーディング率を用いて上記制御情報を送信するステップとを有する。
【０１０８】
本発明のさらに他の態様によれば、ユーザ機器（ＵＥ）が通信システムにおいて制御情報を送信するために単一物理アップリンク共有チャネル（ＰＵＳＣＨ）を選択する方法であって、上記ユーザ機器は、キャリアのそれぞれで各単一物理アップリンク共有チャネルを用いて複数のキャリアでデータ情報を送信するように基地局によりスケジューリングされ、上記方法は、上記キャリアのそれぞれで各単一物理アップリンク共有チャネルに対するメトリックを計算するステップと、上記計算されたメトリックに従って上記制御情報を送信するための単一物理アップリンク共有チャネルを選択するステップと、上記選択された単一物理アップリンク共有チャネルで上記データ情報及び上記制御情報を送信するステップとを有する。
【０１０９】
本発明のさらなる他の態様によれば、通信システムにおいてユーザ機器（ＵＥ）が制御情報を送信するために単一物理アップリンク共有チャネル（ＰＵＳＣＨ）を選択する方法であって、上記ユーザ機器は、制御情報だけを送信する時に第１のキャリアのリソースを使用し、Ｕ個のキャリアのそれぞれで各物理アップリンク共有チャネルを用いてデータ情報をＵ個のキャリアに送信するように基地局によりスケジューリングされ、上記方法は、上記第１のキャリアが上記Ｕ個のキャリアのうちの１つである場合に上記第１のキャリアの物理アップリンク共有チャネルを選択するステップと、上記第１のキャリアが上記Ｕ個のキャリアのうちの１つでない場合に第２のキャリアの物理アップリンク共有チャネルを選択するステップと、上記制御情報を上記選択された物理アップリンク共有チャネルに送信するステップとを有する。
【０１１０】
本発明のさらにまた他の態様によれば、確認応答情報を送信するユーザ機器（ＵＥ）装置であって、上記ＵＥ装置は、基地局によりキャリアＮ及び各キャリアに対する送信モード（ＴＭ）の割り当てを受け、上記送信モードは、割り当てられたキャリアで基地局により送信された各物理ダウンリンク共有チャネル（ＰＤＳＣＨ）でＵＥ装置が受信することができる送信ブロック（ＴＢ）の最大数を決定し、上記確認応答情報は、少なくとも１つの割り当てられたキャリアで少なくとも１つの送信ブロックの受信に応答し、物理アップリンク共有チャネル（ＰＵＳＣＨ）でデータ情報とともに送信され、上記ユーザ機器装置は、Ｎ＋Ｍ個の確認応答ビットを発生する発生器と、割り当てられたキャリアの順序に従って上記Ｎ＋Ｍ個の確認応答ビットをコードワードで順序を決定する整列部と、上記Ｎ＋Ｍ個の確認応答ビットのコードワードをエンコーディングするエンコーダと、上記確認応答情報及び上記データ情報を送信する送信器とを有し、Ｍは、上記割り当てられたキャリアの数であり、上記ユーザ機器は、最大２個の送信ブロックに対する受信を可能にする送信モードの割り当てを受け、Ｎ−Ｍは、割り当てられたキャリアの数であり、上記ユーザ機器装置は、１個の送信ブロックの受信を可能にする送信モードの割り当てを受ける。
【０１１１】
本発明のさらにその他の態様によれば、単一キャリアで制御情報及びデータ情報を送信するユーザ機器（ＵＥ）装置であって、上記ユーザ機器装置は、基地局により制御情報のみの送信のために第１のキャリアのリソースの割り当てを受け、Ｕ個のキャリアのそれぞれで各物理アップリンク共有チャネル（ＰＵＳＣＨ）を用いてＵ個のキャリアへのデータ情報の送信を基地局により割り当てられ、上記ユーザ機器装置は、上記第１のキャリアが上記Ｕ個のキャリアのうちの１つである場合に、上記第１のキャリアの物理アップリンク共有チャネルを選択するか、又は上記第１のキャリアが上記Ｕ個のキャリアのうちの１つでない場合に第２のキャリアの物理アップリンク共有チャネルを選択する選択器と、上記選択された物理アップリンク共有チャネルに上記データ情報及び制御情報を送信する送信器とを有する。
【発明の効果】
【０１１２】
本発明の他の目的、利点、及び顕著な特徴は、添付の図面及び本発明の実施形態からなされる以下の詳細な説明から、当業者にとって明確になるはずである。
【図面の簡単な説明】
【０１１３】
【図１】従来のＰＵＳＣＨサブフレーム構造を示す図である。
【図２】ＰＵＳＣＨを通してデータ、ＣＳＩ、及びＨＡＲＱ−ＡＣＫ信号を送信する従来の送信器の構成を示すブロック図である。
【図３】ＰＵＳＣＨを通してデータ、ＣＳＩ、及びＨＡＲＱ−ＡＣＫ信号を受信する従来の受信器の構成を示すブロック図である。
【図４】ＰＵＳＣＨでのＵＣＩ及びデータの従来の多重化を示す図である。
【図５】従来のキャリアアグリゲーションの概念を示す図である。
【図６】本発明の一実施形態によるＨＡＲＱ−ＡＣＫ確認応答ビットの生成を示す図である。
【図７】本発明の一実施形態によるＨＡＲＱ−ＡＣＫ情報ビットを示す図である。
【図８】本発明の一実施形態によるブロックコードの１回反復及び２回反復でＱＰＳＫ変調を用いてＵＥから符号化されたＨＡＲＱ−ＡＣＫビットの送信を示す図である。
【図９】本発明の一実施形態によるブロックコードの２回反復の場合に、ＵＥから符号化されたＨＡＲＱ−ＡＣＫビットの各サブフレームスロットでの送信のために異なる周波数を用いることを示す図である。
【図１０】本発明の一実施形態によるＰＵＳＣＨで異なるＨＡＲＱ−ＡＣＫ（又はＲＩ）ペイロードを多重化する方法を示すフローチャートである。
【図１１】本発明の一実施形態によるＰＵＳＣＨ ＭＣＳにより定量化したメトリック（metric）に従ってＵＣＩ多重化のために複数のＰＵＳＣＨのうちで１つのＰＵＳＣＨの選択を示す図である。
【図１２】本発明の一実施形態によるＰＵＳＣＨ送信をスケジューリングするＤＣＩフォーマットで“ＵＣＩ＿Ｍｕｌｔｉｐｌｅｘｉｎｇ”ＩＥを含むことを示す図である。
【図１３】本発明の一実施形態によるＰＵＳＣＨでＨＡＲＱ−ＡＣＫ送信のＳＴＢＣを示す図である。
【発明を実施するための形態】
【０１１４】
以下では、本発明を添付の図を参照してさらに完全に説明する。しかしながら、本発明は、多くの他の形態で実現することができ、ここで記述された実施形態に限定されるものと解釈されてはいけない。これらの実施形態は、開示が徹底し、十分であるため、及び当業者に本発明の範囲を完全に伝達するために提供される。
【０１１５】
さらに、以下では、本発明の実施形態がＤＦＴ−拡散ＯＦＤＭ送信を用いる周波数分割複信（Frequency Division Duplex：ＦＤＤ）通信システムを参照して説明されたが、これらは、時分割複信（Time Division Duplex：ＴＤＤ）通信システムと、一般的にすべての周波数分割多元化（Frequency Division Multiplexing：ＦＤＭ）送信及び特に、単一キャリア周波数分割多重接続（Single-Carrier Frequency Division Multiple Access：ＳＣ−ＦＤＭＡ）とＯＦＤＭにも適用可能である。
【０１１６】
本発明の一実施形態に従って、ＨＡＲＱ−ＡＣＫ多重化は、（明示的に別段の言及がない限り）複数のＤＬ ＣＣで構成されたＵＥから少なくとも１つのＴＢの受信に応答して単一ＰＵＳＣＨで実行される。
【０１１７】
すべてのＯ＞２ ＨＡＲＱ−ＡＣＫビットは、個別のリソースでそれぞれのＤＬ ＣＣに対して、１個又は２個のＨＡＲＱ−ＡＣＫビットの複数の並列送信の代りに単一のコーディング方法を用いて共同でコーディングされるものと仮定する。Ｏ個のＨＡＲＱ−ＡＣＫビットのコーディングは、ＣＱＩ／ＰＭＩ送信に対して前述の（３２，Ｏ）ブロックコードを使用するものと仮定する（基本シーケンスは、表２のシーケンスと同一であるか又は同一でないことがある）。これは、最大１０個のＨＡＲＱ−ＡＣＫビットまでの送信を可能にする（最初の１０個の基本シーケンスだけを考慮する）。ＨＡＲＱ−ＡＣＫ空間領域バンドリングが使用される場合に、各ＨＡＲＱ−ＡＣＫビットは、２個のＴＢの受信に対応する（両方のＴＢが正しく受信される場合にはＡＣＫが送信され、そうでない場合にはＮＡＣＫが送信される）。
【０１１８】
それぞれのＤＬ ＣＣにおいて、それぞれのＰＤＳＣＨ送信をＵＥに通知する一部のダウンリンク制御情報（Downlink Control Information：ＤＣＩ）フォーマットは、ＵＥにより不正確に受信（又は流失）され得る。本発明の一実施形態に従って、ＵＥが送信するＨＡＲＱ−ＡＣＫビットの数と同一の数のＨＡＲＱ−ＡＣＫビットをノードＢが検出し、ノードＢ及びＵＥがＲＭコードの各コードワードにおいて、ＨＡＲＱ−ＡＣＫビットの配置に対して同一の理解を有するようにするための２個の可能なアプローチが存在する。
【０１１９】
第１のアプローチにおいて、ＵＥが（３２，Ｏ）ＲＭブロックコードを使用し、自身の構成されたＤＬ ＣＣの数及び各構成された送信モード（ＴＭ）から決定されたＨＡＲＱ−ＡＣＫビットの数をフィードバックする。各ＤＬ ＣＣに対するＴＭは、ノードＢからＲＲＣシグナリングを通してＵＥに割り当てられ、ＵＥがＤＬ ＣＣで最大１個のＴＢ又は２個のＴＢを受信することができるか否かを判定する。ＵＥがＤＬ ＣＣで２個のＴＢをサポートするＴＭで構成される場合に、ＵＥは、各ＤＬサブフレームで実際に受信したＴＢ（０，１，又は２）の数に関係なくそのＤＬ ＣＣに対して２個のＨＡＲＱ−ＡＣＫビットを送信する。ＵＥがＤＬ ＣＣで２個のＴＢをサポートするＴＭで構成される場合に、各ＰＤＳＣＨが（２個のＴＢの代りに）１個のＴＢを運搬すると、ＵＥは、第２のＴＢに対する不正確な受信（ＮＡＣＫ）をＨＡＲＱ−ＡＣＫコードワードの各位置に示す。各ＰＤＳＣＨが受信されない場合に、ＵＥは、ＨＡＲＱ−ＡＣＫコードワードの各位置に２個のＴＢに対する不正確な受信（２個のＮＡＣＫ）を示す。
【０１２０】
ＵＥがＭ１個のＤＬ ＣＣを有し、ＰＤＳＣＨが２個のＴＢを運搬することができるＮ１≦Ｍ１個のＤＬ ＣＣが存在する場合に（ＵＥが２個のＴＢをサポートするＴＭで構成される）、ＰＵＳＣＨのＨＡＲＱ−ＡＣＫビットの数は、Ｏ＝２Ｎ１＋（Ｍ１−Ｎ１）＝Ｍ１＋Ｎ１として計算される。ＵＥがＭ１＝２個のＤＬ ＣＣだけを有し、構成されたＴＭが最大２個のＴＢの受信を可能にするＮ１＝０個のＤＬ ＣＣが存在する場合に、ＵＥは、前述の（３，２）シンプレックスコードを用いてＯ＝２個のＨＡＲＱ−ＡＣＫビットを送信する。その他のすべての場合において、構成された少なくとも２個のＤＬ ＣＣを有するＵＥは最小Ｏ＝３個のＨＡＲＱ−ＡＣＫビットを有し、これらをＰＵＳＣＨで運搬するために（３２，Ｏ）ＲＭブロックコードを使用する。
【０１２１】
図６は、本発明の一実施形態によるＰＵＳＣＨでのＨＡＲＱ−ＡＣＫ多重化のための第１のアプローチを示す図である。
【０１２２】
図６を参照すると、ＵＥは、３個のＤＬ ＣＣであるＤＬ ＣＣ１ ６１０、ＤＬ ＣＣ２ ６１２及びＤＬ ＣＣ３ ６１４を有する。ＤＬ ＣＣ１ ６１０において、ＵＥは、最大２個のＴＢをサポートするＴＭ１で構成され、ＤＬ ＣＣ２ ６１２において、ＵＥは、最大１個のＴＢをサポートするＴＭ２で構成され、ＤＬ ＣＣ３ ６１４において、ＵＥは、最大２個のＴＢをサポートするＴＭ３で構成される。ＵＥは、常にＤＬ ＣＣ１ ６１０に対応する２ビットＨＡＲＱ−ＡＣＫ６２０、ＤＬ ＣＣ２ ６１２に対応する１ビットＨＡＲＱ−ＡＣＫ６２２、及びＤＬ ＣＣ３ ６１４に対応する２ビットＨＡＲＱ−ＡＣＫ６２４を送信する。すべての場合において、ＨＡＲＱ−ＡＣＫ送信は、ＵＥが対応するＤＬ ＣＣでＰＤＳＣＨを受信するか否かに関係なく発生する。したがって、ＵＥは、常にＰＵＳＣＨでのＨＡＲＱ−ＡＣＫ多重化に対して５個のＨＡＲＱ−ＡＣＫビットを送信し、ノードＢは常にこれらを受信する。
【０１２３】
第２のアプローチにおいて、ＰＵＳＣＨ送信をスケジューリングする各ＤＣＩフォーマットは、ダウンリンク割り当て指示子（Downlink Assignment Indicator：ＤＡＩ）情報要素（Information Element：ＩＥ）を含む。ＤＡＩ ＩＥは、ＰＤＳＣＨ送信を有するＤＬ ＣＣを示すビットマップである。例えば、ＵＥが最大５個のＤＬ ＣＣを有することができると仮定すると、ＤＡＩ ＩＥは、５個のビットで構成される。ＤＡＩ ＩＥを使用すると、ＨＡＲＱ−ＡＣＫビットの数は、常に構成されたＤＬ ＣＣに対応する最大の数ではない。ＤＡＩ ＩＥビットの数を減少させる様々な方法が適用され得る。例えば、ＵＥは、ＤＬ ＣＣにおいて常にＰＤＳＣＨ送信を有すると仮定することができ、この場合に、ビットマップはＤＬ ＣＣをアドレスしない。ＰＵＳＣＨでＵＥにより送信されるＨＡＲＱ−ＡＣＫビットの数は、ＤＡＩ ＩＥで示されたＤＬ ＣＣでＰＤＳＣＨが運搬することができる最大ＴＢの数に基づく。
【０１２４】
ＤＡＩ ＩＥがＭ２個のＤＬ ＣＣを示し（ビットマップはＭ２個のビットを有し、このうちで値１はＤＬ ＣＣを示す）、このようなＭ２個のＤＬ ＣＣにおいて、ＰＤＳＣＨが２個のＴＢを運搬することができるＮ２≦Ｍ２個のＤＬ ＣＣが存在する場合に、ＨＡＲＱ−ＡＣＫビットの数は、Ｏ＝２Ｎ２＋（ Ｍ２−Ｎ２）＝Ｍ２＋Ｎ２である。
【０１２５】
上述した第１のアプローチと同様に、ＤＡＩ ＩＥがＭ２＝１個のＤＬ ＣＣ又はＭ２＝２個のＤＬ ＣＣを示し、両方とも１個のＴＢの受信と関連した（Ｎ２＝０）ＴＭで構成された場合に、ＵＥは、上述した２個の方法のうちのそれぞれの１つ（反復コード又は（３，２）シンプレックスコード）を用いてＯ＝１個又はＯ＝２個のＨＡＲＱ−ＡＣＫビットを送信する。その他のすべての場合において、ＵＥは、最小Ｏ＝３個のＨＡＲＱ−ＡＣＫビットを有し、ＵＥがこれらをＰＵＳＣＨで伝達する時に（３２，Ｏ）ＲＭブロックコードを使用する。
【０１２６】
図７は、本発明の一実施形態、すなわち、第２のアプローチの一実施形態によるＨＡＲＱ−ＡＣＫ情報ビットを示す図である。
【０１２７】
図７を参照すると、基準ＵＥは、３個のＤＬ ＣＣであるＤＬ ＣＣ１ ７２０、ＤＬ ＣＣ２ ７２２、及びＤＬ ＣＣ３ ７２４を有する。ＤＬ ＣＣ１ ７２０において、ＵＥは、最大２個のＴＢをサポートするＴＭ１で構成され、ＤＬ ＣＣ２ ７２２において、ＵＥは、最大１個のＴＢをサポートするＴＭ２で構成され、ＤＬ ＣＣ３ ７２４において、ＵＥは、最大２個のＴＢをサポートするＴＭ３で構成される。ＰＵＳＣＨ送信のためのＤＣＩフォーマットのＤＡＩ ＩＥ７１０は、ＤＬ ＣＣ１及びＤＬ ＣＣ２でＰＤＳＣＨ送信を示す。ＵＥは、ＤＬ ＣＣ１ ７２０に対して２個のＨＡＲＱ−ＡＣＫビット７３０を送信し、ＤＬ ＣＣ２ ７２２に対して１個のＨＡＲＱ−ＡＣＫビット７３２を送信する。このようなＨＡＲＱ−ＡＣＫ送信は、ＵＥがＤＬ ＣＣ１又はＤＬ ＣＣ２でＰＤＳＣＨを実際に受信するか否かに関係なく行われる（ＰＤＳＣＨは、各ＤＬ ＳＡが損失される時に損失される）。
【０１２８】
ブロックコードでのＨＡＲＱ−ＡＣＫビットの順序（ordering）は、各ＤＬ ＣＣの順序により決定される。ＤＬ ＣＣの順序は、ノードＢによるＲＲＣシグナリングを通して構成されるか、例えば、ＤＬ ＣＣに対するキャリア周波数の順序から暗黙的に決定されることができる。すなわち、ＤＬ ＣＣは、キャリア周波数の昇順（ascending）に定められることができる。
【０１２９】
ＵＥが送信するＨＡＲＱ−ＡＣＫビットの数Ｏを決定すると、表２に示すように（３２，Ｏ）ブロックコードを適用する。
【０１３０】
本発明の一実施形態によると、符号化されたＨＡＲＱ−ＡＣＫビットの反復は、要求される信頼性を達成するために適用されることができる。例えば、ＱＰＳＫ変調のために、３２個の出力ビットは、サブフレーム当たりの２個のＲＳの周辺にある４個のＤＦＴ−Ｓ−ＯＦＤＭシンボルで４個のＲＥのブロックに分布されている１６個の変調されたシンボルにマッピングされることができる。この符号化されたＨＡＲＱ−ＡＣＫビットに対する複数の反復が適用される時にＨＡＲＱ−ＡＣＫ送信のために使用されるＲＥは１６の倍数である。
【０１３１】
図８は、（３２，Ｏ）ブロックコードの１回反復及び２回反復でＱＰＳＫ変調に対する符号化されたＨＡＲＱ−ＡＣＫビットの送信を示す図である。簡素化のために、他のＵＣＩタイプの送信は考慮されない。
【０１３２】
図８を参照すると、第１の反復８１０Ａに対するＨＡＲＱ−ＡＣＫ ＲＥ、第２の反復８１０Ｂに対するＨＡＲＱ−ＡＣＫ ＲＥ、ＲＳ ＲＥ８２０、及びデータＲＥ８３０を含む。１回反復の場合に、ＨＡＲＱ−ＡＣＫ ＲＥは、４個のＲＥのグループ８４０Ａ及び８４０ＢでＲＳの周辺にマッピングされる。２回反復の場合に、ＨＡＲＱ−ＡＣＫ ＲＥは、１番目の反復に対しては４個のＲＥのグループ８５０Ａ及び８５０ＢでＲＳの周辺にマッピングされ、２番目の反復に対しては４個のＲＥのグループ８６０Ａ及び８６０Ｂでさらにマッピングされる。
【０１３３】
複数の反復の場合に、２回の反復に対して、図９に示すように、各反復の周波数ダイバーシティ及び干渉ダイバーシティを向上させるために異なる周波数が各スロットで送信のために使用されることができる。
【０１３４】
図９は、本発明の一実施形態に従ってブロックコードの２回反復の場合にＵＥから符号化されたＨＡＲＱ−ＡＣＫビットの各サブフレームスロットでの送信のために相互に異なる周波数を使用することを示す図である。
【０１３５】
図９を参照すると、ＰＵＳＣＨサブフレームは、第１の反復９１０Ａに対するＨＡＲＱ−ＡＣＫ ＲＥ、第２の反復９１０Ｂに対するＨＡＲＱ−ＡＣＫ ＲＥ、ＲＳ ＲＥ９２０、及びデータＲＥ９３０を含む。ＨＡＲＱ−ＡＣＫ ＲＥは、４個のＲＥのグループでＲＳの周辺にマッピングされ、第１の反復９４０Ａ及び第２の反復９４０Ｂに対する第１のスロットでのＲＥの位置は、第１の反復９５０Ａ及び第２の反復９５０Ｂに対する第２のスロットでスイッチングされる。
【０１３６】
ＰＵＳＣＨでのＨＡＲＱ−ＡＣＫ送信の場合に、ＵＥは、数式（５）に示すようにコーディングされたシンボルの各数
【０１３７】
【数３１】
0005989833.tif 000034
【０１３８】
（名目上のコーディング率）を決定する。
【０１３９】
【数３２】
0005989833.tif 000035
【０１４０】
ＨＡＲＱ−ＡＣＫ情報ペイロードは、Ｏビットに固定されるので、コーディングされたシンボルの数
【０１４１】
【数３３】
0005989833.tif 000036
【０１４２】
は、Ｑｍ・Ｒにより決定されるのでデータ送信のＭＣＳに反比例するＨＡＲＱ−ＡＣＫ送信の名目上のコーディング率を決定する。
【０１４３】
あるいは、ＵＥ送信器でのエンコーディング動作及びノードＢ受信器でのデコーディング動作を単純化し、短縮された長さを有するブロックコードに対してコーディング率増加と関連したパンクチャーリング損失を避けるために（
【０１４４】
【数３４】
0005989833.tif 000037
【０１４５】
である場合に）、（３２，Ｏ）ブロックコードに対する反復の整数回数は、名目上のコーディング率が所定の最大コーディング率より大きい場合のみに定義されることができる。ＵＥは、数式（６）に示すように、エンコーディングされたＵＣＩ（ＨＡＲＱ−ＡＣＫ又はＲＩ）ビットに対する反復回数Ｒを決定する。
【０１４６】
【数３５】
0005989833.tif 000038
【０１４７】
数式（６）において、
【０１４８】
【数３６】
0005989833.tif 000039
【０１４９】
は、送信されたＨＡＲＱ−ＡＣＫビットの数に基づく。ＰＵＳＣＨでのＨＡＲＱ−ＡＣＫ多重化のために使用可能な
【０１５０】
【数３７】
0005989833.tif 000040
【０１５１】
個のＲＥの最大個数に達しないものと仮定する。相互に異なる
【０１５２】
【数３８】
0005989833.tif 000041
【０１５３】
値が相互に異なるＯ個の値に対して定義されてもよく、または、幾つかの
【０１５４】
【数３９】
0005989833.tif 000042
【０１５５】
値は、Ｏ個の値のセットに対して定義されてもよい。ＯがＲＲＣ構成を通じて予め決定されるので、例えば、
【０１５６】
【数４０】
0005989833.tif 000043
【０１５７】
もＲＲＣ構成及び
【０１５８】
【数４１】
0005989833.tif 000044
【０１５９】
を通じて予め決定されることができる。
【０１６０】
ＨＡＲＱ−ＡＣＫ送信に対して、ブロックコードのレート（rate）が送信されたＨＡＲＱ−ＡＣＫビットの数に基づくので、ＵＥが常にすべてのＤＬ ＣＣに対応する最大数のＨＡＲＱ−ＡＣＫビットを送信するとしても、ブロックコード率の差による受信信頼性の差が送信されたＨＡＲＱ−ＡＣＫビットの数に対する
【０１６１】
【数４２】
0005989833.tif 000045
【０１６２】
の依存性により反映される。反復コーディングを用いる１個のＨＡＲＱ−ＡＣＫビットの従来の送信とは異なり、コーディング率の変更による受信信頼性の差が線形的でないので、この依存性は線形的でない（すなわち、
【０１６３】
【数４３】
0005989833.tif 000046
【０１６４】
）。簡素化のために、Ｏに対する相互に異なる連続された値は同一の
【０１６５】
【数４４】
0005989833.tif 000047
【０１６６】
値にマッピングされることができる。
【０１６７】
図１０は、本発明の一実施形態によるＰＵＳＣＨで相互に異なるＨＡＲＱ−ＡＣＫ（又はＲＩ）ペイロード（情報ビットの数）を多重化する方法を示すフローチャートである。特に、図１０は、ＰＵＳＣＨで相互に異なるＨＡＲＱ−ＡＣＫペイロードを多重化する時にＵＥ送信器及びノードＢ受信器の機能を示す。
【０１６８】
図１０を参照すると、ステップ１０１０において、ＨＡＲＱ−ＡＣＫビットの数がＯ＞２であるか否かを判定する。ＨＡＲＱ−ＡＣＫビットの数がＯ＞２でない場合に、ステップ１０２０において、それぞれの従来の方法（反復コード又はシンプレックスコード）がＨＡＲＱ−ＡＣＫ送信のために使用される。しかしながら、ＨＡＲＱ−ＡＣＫビットの数がＯ＞２である場合に、ステップ１０３０において、ＨＡＲＱ−ＡＣＫビットは、（３２，Ｏ）ＲＭブロックコードを用いてエンコーディングされる。
【０１６９】
ステップ１０４０において、変調されたシンボル（ＱＰＳＫ変調）当たり２個のＨＡＲＱ−ＡＣＫビットを仮定すると、３２個の符号化されたＨＡＲＱ−ＡＣＫビット（コード率は、３２個の符号化されたビットのうちの少なくとも１つの反復を収容するために、自身の名目値から減少するものと仮定する）は、四つ組（quadruplets）に分割され、ステップ１０５０において、ＰＵＳＣＨ送信のサブフレームで２個のＲＳシンボルの横に位置した４個のＤＦＴ−Ｓ−ＯＦＤＭシンボルの４個のＲＥに配置される。ステップ１０６０において、ＨＡＲＱ−ＡＣＫコーディングされたシンボルの数を決定する条件が追加の反復を示す場合に、追加のＲＥを用いてステップ１０５０を反復する。しかしながら、ステップ１０６０で追加の反復が存在しない場合に、ＨＡＲＱ−ＡＣＫビットをＰＵＳＣＨに配置する過程がステップ１０７０で完了する。
【０１７０】
ＨＡＲＱ−ＡＣＫビットのコーディング及びリソース割り当てが図１０で説明したように適用された後に、図２及び図３に関連して上述したような装置がＨＡＲＱ−ＡＣＫビットの送信及び受信のために使用されることができる。したがって、ここでは、繰り返しの説明を提供しない。
【０１７１】
本発明の他の実施形態によると、ＵＣＩ多重化のために相互に異なるＵＬ ＣＣで同一のサブフレームの間に複数のＰＵＳＣＨのうちの１つのＰＵＳＣＨを選択する。｛ＭＣＳ（１），ＭＣＳ（２），．．．，ＭＣＳ（Ｓ）｝の各ＭＣＳを有する空間多重化がないｓ回のＰＵＳＣＨ送信を考慮すると、第１のアプローチは、ＵＥがＵＣＩ多重化のためにもっとも大きいＭＣＳを有するＰＵＳＣＨ送信を選択することを考慮する。したがって、ＵＥは、
【０１７２】
【数４５】
0005989833.tif 000048
【０１７３】
として得られたＵＬ ＣＣ ｓでＵＣＩを送信する。
【０１７４】
図１１は、本発明の一実施形態によるＵＣＩ多重化のために複数のＰＵＳＣＨのうちの１つのＰＵＳＣＨを選択することを示す図である。
【０１７５】
図１１を参照すると、基準ＵＥは、３個の各ＵＬ ＣＣ、すなわち、ＱＰＳＫ変調及びｒ＝１／２のコード率を有するＵＬ ＣＣ１ １１１０、ＱＡＭ１６変調及びｒ＝１／２のコード率を有するＵＬ ＣＣ２ １１２０、及びＱＡＭ１６変調とｒ＝１／３のコード率を有するＵＬ ＣＣ３ １１３０内のサブフレームで３個のＰＵＳＣＨ送信を有する。ＵＬ ＣＣ２でのＰＵＳＣＨ送信がもっとも大きいＭＣＳ（最大スペクトル効率）を有するので、ＵＥは、ＵＬ ＣＣ２ １１４０でのＰＵＳＣＨ送信にＵＣＩを多重化する。
【０１７６】
ＵＣＩ多重化のために１つのＰＵＳＣＨを選択する場合の長所は、ＵＥが単一サブフレームで有することができるＰＵＳＣＨ送信の数に関係なく単一ソリューションを提供し、自然にすべてのＨＡＲＱ−ＡＣＫビットの共同コーディングに適合したことである。通常、ＭＣＳが大きいほどリンク品質がさらによいので、もっとも大きいＭＣＳを有するＰＵＳＣＨ送信を選択することによりＵＣＩ送信に対して最上の信頼性を達成することができる。
【０１７７】
また、単一ＰＵＳＣＨを選択する場合に、ＵＥがＰＵＳＣＨ送信をスケジューリングするＤＣＩフォーマットを失ってしまう場合に発生し得るエラーの場合の影響を最小に抑えることができる。ノードＢ及びＵＥがもっとも高いＭＣＳを有する選択されたＰＵＳＣＨに対して相互に異なる理解を有する場合に、例えば、ＵＥがもっとも大きいＭＣＳを有するＰＵＳＣＨをスケジューリングするＤＣＩフォーマットを損失したので、ノードＢがこのような送信の不在を検出することにより、自身が検出したもっとも大きいＭＣＳを有する１番目のＰＵＳＣＨ送信にＵＣＩが含まれているものと判定することができる。複数のＰＵＳＣＨ送信が同一のもっとも高いＭＣＳを有する場合に選択されたＰＵＳＣＨ送信は、例えば、さらに小さいインデックスを有するＵＬ ＣＣにおけるような所定のＵＬ ＣＣにあり得るが、これは、このようなＵＬ ＣＣインデックスがノードＢによりＵＥに構成されるためである。
【０１７８】
本発明の他の実施形態によると、ＵＥは、ＵＣＩ多重化のために、ＵＣＩ ＲＥにより置き換えられるデータＲＥの相対的な量を最小化するＰＵＳＣＨ送信を選択する。ＵＥが与えられたサブフレームでＳ回のＰＵＳＣＨ送信を有し、ＰＵＳＣＨでのＵＣＩ多重化のために要請されるＲＥの各数ｓがＯ（ｓ），ｓ＝１，．．．，Ｓである場合に、ＵＥは、数式（７）に示すように効用比率（utility ratio）Ｕ（ｓ）を最小化するＰＵＳＣＨをＵＣＩ多重化のために選択することができる。
【０１７９】
【数４６】
0005989833.tif 000049
【０１８０】
数式（７）において、
【０１８１】
【数４７】
0005989833.tif 000050
【０１８２】
は、ＰＵＳＣＨ送信ｓに割り当てられたＲＥの数であり、
【０１８３】
【数４８】
0005989833.tif 000051
【０１８４】
は、データ送信ｓのために使用可能なＰＵＳＣＨ送信でのシンボルの数を示す（最後のサブフレームシンボルがＳＲＳ送信のために使用される場合にＮＳＲＳ（ｓ）＝１であり、そうでない場合には、ＮＳＲＳ（ｓ）＝０）。このようなアプローチの長所は、ＵＣＩ多重化によるデータ受信信頼性に対するデータパンクチャーリング又はレートマッチングの影響が最小化することである。例えば、同一のターゲットＢＬＥＲであるＰＵＳＣＨ送信当たりのＱｍに対して、ＵＥがデータコード率１／２を有する２０個のＲＢにわたった第１のＰＵＳＣＨ送信及びデータコード率５／８を有する５個のＲＢにわたった第２のＰＵＳＣＨ送信を有する場合に、第２のＰＵＳＣＨ送信の選択（もっとも高いＭＣＳ）がＵＣＩ多重化に要求される絶対的なＲＥの数を最小化しても、第１のＰＵＳＣＨ送信を選択すると、ＵＣＩ多重化のための相対的なＲＥの数がさらに少なくなるのであろう。このような内容は、使用可能な要求されるＵＣＩリソースに対して（例えば、ＨＡＲＱ−ＡＣＫ送信のためのＤＭ ＲＳシンボルの周辺のＲＥの最大個数に及ばないもの）さらに条件化することができる。
【０１８５】
本発明の他の実施形態によると、ノードＢは、ＵＣＩがそれぞれのＰＵＳＣＨで多重化されるべきであるか否かを示すために各ＰＵＳＣＨ送信をスケジューリングするＤＣＩフォーマットに１ビットＩＥを含ませることによりＵＣＩ多重化のためのＰＵＳＣＨを動的に選択することができる。ＵＣＩ多重化のためのＰＵＳＣＨを示すＤＣＩフォーマットがＵＥにより失われてしまう場合に、ＵＥは、もっとも大きいＭＣＳを有するＰＵＳＣＨ又は相対的なＵＣＩオーバーヘッドを最小化するＰＵＳＣＨを選択するように転換することができる。これは、例えば、同期非適応的な（synchronous non-adaptive）ＨＡＲＱ再送信又は半永続的な（semi-persistent）ＰＵＳＣＨ送信のようなＰＵＳＣＨ送信と関連したＤＣＩフォーマットがない場合にも同様である。
【０１８６】
図１２は、ＰＵＳＣＨ送信をスケジューリングするＤＣＩフォーマットに“ＵＣＩ＿Ｍｕｌｔｉｐｌｅｘｉｎｇ”を含ませることを示す図である。
【０１８７】
図１２を参照すると、ＰＵＳＣＨ送信１２１０に対して、関連ＤＣＩフォーマット内の“ＵＣＩ＿Ｍｕｌｔｉｐｌｅｘｉｎｇ”ＩＥ１２２０は、ＵＥがＰＵＳＣＨに自身のＵＣＩ送信を含ませなければならないか（１２３０）否か（１２４０）を示す。
【０１８８】
ＵＥが自身のＰＵＳＣＨ送信にＵＣＩを含ませなければならないかを示すためにＩＥを明示的に導入する代わりに、ＰＵＳＣＨ送信をスケジューリングするＤＣＩフォーマットの既存のＩＥがこのような機能を暗黙的に実行するために使用されることができる。例えば、ＰＵＳＣＨにおいて、ＲＳ送信に適用するサイクリックシフト（Cyclic Shift：ＣＳ）をＵＥに通知するために、ＤＣＩフォーマットは、サイクリックシフト指示子（ＣＳＩ）ＩＥを含むものと仮定する。ＣＳＩ値が予備されることによりＤＣＩフォーマットでシグナリングされる際にＵＣＩがＰＵＳＣＨに含まれることを示すことができる。既存の他のＤＣＩフォーマットＩＥの値又はこれらの組み合せが同一の目的で使用されることができる。図１２での工程はさらに適用することができるが（簡素のために追加の図示が省略される）、“ＵＣＩ＿Ｍｕｌｔｉｐｌｅｘｉｎｇ”ＩＥの値を検査する代わりに、ＵＥは、既存のＣＳＩ ＩＥが所定の値を有するか否かを検査し、所定の値を有する場合にはＰＵＳＣＨ送信にＵＣＩを含ませる。
【０１８９】
本発明の他の実施形態によると、ＰＵＳＣＨ送信がない場合に、同一のＵＬ ＣＣ（ＵＬプライマリーＣＣ）は、ＵＣＩをＰＵＣＣＨに送信するためにＵＥにより常に使用される。ＵＬプライマリーＣＣ（ＵＬ ＰＣＣ）は、ＰＵＳＣＨ送信がＵＬ ＰＣＣに存在する時にＰＵＳＣＨのＵＣＩを多重化するためのデフォルトＵＬ ＣＣであることができる。そうでない場合に、ＵＥは、ＰＵＳＣＨを選択するための他の手段（例えば、上述したメトリックのうちの１つを使用するか又は上述したようにＵＬ ＣＣインデックスに基づく所定の順序を使用する）に転換することができる。ＵＥがＰＵＣＣＨの（ＣＱＩ／ＰＭＩのような）一部のＵＣＩを送信し、ＰＵＳＣＨの（ＨＡＲＱ−ＡＣＫのような）他の一部のＵＣＩを送信するように構成される場合に、ＵＣＩを伝達するためにＵＬ ＰＣＣのＰＵＳＣＨ送信（存在する場合）を使用するという長所がある。ＵＣＩをＰＵＳＣＨ及びＰＵＣＣＨに伝達するために、同一のＵＬ ＣＣ（ＵＬ ＰＣＣ）での送信を使用することにより相互変調（inter-modulation）結果物及び電力減少に対する可能な要件のＵＣＩ送信に対する影響を最小化する。
【０１９０】
本発明の一実施形態によると、ＴｘＤはＰＵＳＣＨのＵＣＩ送信に適用される。
【０１９１】
図１３は、本発明の一実施形態によるＰＵＳＣＨでのＨＡＲＱ−ＡＣＫ送信のＳＴＢＣを示す図である。
【０１９２】
図１３を参照すると、一般的に、ＨＡＲＱ−ＡＣＫ ＲＥの数を偶数と仮定し、特に、ＱＰＳＫタイプ変調及び（３２，Ｏ）ブロックコードを仮定し、ＨＡＲＱ−ＡＣＫ ＲＥの数は１６の倍数（＝３２／２）と仮定する。第１のＵＥアンテナは構造１３１０を送信し、第２のアンテナは構造１３２０を送信する。ＵＥは、第１のアンテナから変調されたＨＡＲＱ−ＡＣＫシンボル１３３０の送信のためにＳＴＢＣを適用し、第２のアンテナから変調されたＨＡＲＱ−ＡＣＫシンボル１３４０の送信のためにＳＴＢＣを適用する。ＵＥは、情報データ１３５０の送信のためにＳＴＢＣを適用してもよく、又は適用しなくてもよい。
【０１９３】
第１のアンテナからの２個のスロットの各々でのＲＳ送信、ＲＳ１１ １３６０Ａ及びＲＳ１２ １３６０Ｂは、第２のアンテナからの２個のスロットの各々でのＲＳ送信、ＲＳ２１ １３７０Ａ及びＲＳ２２ １３７０Ｂに直交する。例えば、ＲＳ１１ １３６０Ａ及びＲＳ２１ １３７０Ａは、相互に異なるＣＳを使用してもよい。また、ＲＳ１２ １３６０Ｂ及びＲＳ２２ １３７０Ｂは、相互に異なるＣＳを使用してもよい。ＵＥは、ＤＣＩフォーマットのＣＳＩ ＩＥから又はノードＢからのＲＲＣシグナリングを通してＲＳ１１ １３６０Ａに対してＣＳを決定する。ＲＳ２１ １３７０Ａに対するＣＳは、ＲＳ１１ １３６０Ａに対するＣＳから暗黙的に決定することができる（例えば、ＲＳ２１ １３７０Ａに対するＣＳは、ＲＳ１１に対するＣＳから最も遠い距離を有するＣＳであり得る）。
【０１９４】
第１のアンテナからの送信のためのＵＥ装置は、図２に示すようである。また、第２のアンテナからの送信のための装置は、図２に説明されているようであるが、変調されたＨＡＲＱ−ＡＣＫシンボルは、図１３と同様である。
【０１９５】
ノードＢ受信器装置は、（ＨＡＲＱ−ＡＣＫビットに対して）図３に示すようであるが、ＳＴＢＣ受信処理が上述したように適用される。したがって、基準ノードＢ受信器アンテナの場合に、ｈｊがｊ番目のＵＥアンテナから送信された信号に対するチャネル推定値であり、ｊ＝１，２であり、ｙｋは、ｋ番目のＤＦＴ−Ｓ−ＯＦＤＭシンボルで受信された信号であり、ｋ＝１，２である場合に、（デコーディング前の）１対のＨＡＲＱ−ＡＣＫシンボル
【０１９６】
【数４９】
0005989833.tif 000052
【０１９７】
に対する決定は、
【０１９８】
【数５０】
0005989833.tif 000053
【０１９９】
に従い、ここで、
【０２００】
【数５１】
0005989833.tif 000054
【０２０１】
は、ベクトルの転置行列であり、
【０２０２】
【数５２】
0005989833.tif 000055
【０２０３】
である。
【０２０４】
ＳＴＢＣ ＴｘＤは、他のＵＣＩタイプ又はデータ情報に適用されてもよく、又は適用されなくてもよい。例えば、ＳＴＢＣ ＴｘＤは、ＲＩが常に偶数個のＤＦＴ−Ｓ−ＯＦＤＭシンボルで送信されるので、ＨＡＲＱ−ＡＣＫに対するＲＩに適用することができる。しかしながら、ＳＴＢＣ ＴｘＤは、潜在的ＳＲＳ送信のために偶数個のＤＦＴ−Ｓ−ＯＦＤＭシンボルに存在することを一般的に保証することができないＣＱＩ又はデータ情報に適用することができない。
【０２０５】
ＰＵＳＣＨにおいてＵＣＩタイプの送信のために使用されるリソース（コーディングされたシンボル）の数はＴｘＤの使用に基づくことができる。例えば、ＴｘＤは、通常、各情報の受信信頼性を向上させるので、さらに少ないリソースがＵＣＩタイプに対して要求される信頼性を満足する必要がある。ＳＴＢＣのような特定のＴｘＤ方法がＵＣＩ送信に適用される時にＰＵＳＣＨのＵＣＩリソースの決定のために、対応するＵＣＩタイプに対する
【０２０６】
【数５３】
0005989833.tif 000056
【０２０７】
値の異なるセットが適用されることができる。このような
【０２０８】
【数５４】
0005989833.tif 000057
【０２０９】
値のセットは、ＴｘＤを有しない場合のように明示的に定義されるか、又はＴｘＤを有しない場合の
【０２１０】
【数５５】
0005989833.tif 000058
【０２１１】
値のセットから明示的に派生することができる。例えば、暗黙的な派生のために、ＴｘＤを有する場合の
【０２１２】
【数５６】
0005989833.tif 000059
【０２１３】
値のセットは、ＴｘＤを有しない場合の
【０２１４】
【数５７】
0005989833.tif 000060
【０２１５】
値のセットを２／３にスケーリングすることにより決定されることができる。あるいは、ノードＢは、ＵＣＩタイプの送信のためにＴｘＤを構成する時に異なる
【０２１６】
【数５８】
0005989833.tif 000061
【０２１７】
値を単純に構成することができる。
【０２１８】
以上、本発明を具体的な実施形態に関して図示及び説明したが、添付した特許請求の範囲により規定されるような本発明の趣旨及び範囲を外れることなく、形式や細部の様々な変更が可能なことは、当該技術分野における通常の知識を持つ者には明らかである。
【０２１９】
本発明の実施形態は、ハードウェア、ソフトウェア、又はハードウェア及びソフトウェアの組み合せの形態で実現することができる。このような任意のソフトウェアは、例えば、削除又は再記録が可能であるか否かに関係なく、ＲＯＭなどの記憶装置のような揮発性又は非揮発性記憶装置、又は、例えば、ＲＡＭ、メモリチップ、装置又は集積回路のようなメモリ、又は例えばＣＤ、ＤＶＤ、磁気ディスク又は磁気テープなどの光学的又は磁気的に読み取り可能な媒体に記憶することができる。記憶装置及び記憶媒体は、本発明の実施形態を実現する指示を含むプログラム又はプログラムを格納するのに適合した機械可読の記憶装置の実施形態である。したがって、本発明の実施形態は、本願明細書の請求項のうちのいずれか１項で請求されるようなシステム又は方法を実現するためのコードを含むプログラム及びこのようなプログラムを格納する機械可読記憶装置を提供する。また、このようなプログラムは、有線又は無線接続を通じて搬送される通信信号のような任意の媒体を通じて電子的に移送され、実施形態はこれと均等なことを適切に含む。
【０２２０】
本願の詳細な説明及び請求項において、“含む（comprise）”、“具備する（contain）”、及びこれらの変形、例えば、“含む（comprising）”及び“含む（comprises）”は“含まれるが、これに限定されない”との意味を有し、他の半分（moieties）、添加物（additives）、構成要素、整数又はステップを排除しようと意図されない（そして排除しない）。
本願明細書の説明及び請求項にわたって、単数は文脈上これと異なることを要求しない限り複数を含む。特に、定められない対象が使用される場合に、文脈上異なることを必要としない限り、単数と同様に複数も考慮することと理解されなければならない。
【０２２１】
本発明の特定側面、実施形態、又は例と共に説明される特徴、整数、特性、混合物、化学的半分、又はグループは、ここに説明された他の側面、実施形態又は例に不適合しない限り、これらに適用できることがわかる。
本願の説明及び請求項において、一般的に“ＹのためのＸ”という一般的な形態の言語(ここで、Ｙは任意のアクション、動作又はステップであり、Ｘはこのようなアクション、動作又はステップを実行するための任意の手段)は、特別に、しかしながら、排他的ではなく、Ｙを実行するように適応されるか又は準備された（arranged）手段Ｘを含むものと理解されるのであろう。
【符号の説明】
【０２２２】
８１０Ａ 第１の反復
８１０Ｂ 第２の反復
８２０ ＲＳ ＲＥ
８３０ データＲＥ
【図１】
0005989833.tif 000062
【図２】
0005989833.tif 000063
【図３】
0005989833.tif 000064
【図４】
0005989833.tif 000065
【図５】
0005989833.tif 000066
【図６】
0005989833.tif 000067
【図７】
0005989833.tif 000068
【図８】
0005989833.tif 000069
【図９】
0005989833.tif 000070
【図１０】
0005989833.tif 000071
【図１１】
0005989833.tif 000072
【図１２】
0005989833.tif 000073
【図１３】
0005989833.tif 000074